(57)【要約】【課題】材料歩留りがよく、溶接の手数を軽減した配線用開口部を有する電気機器収納用箱を提供する。【解決手段】本発明の電気機器収納用箱は、筐体の左右側面板１と背面板２の下端部をそれぞれ筐体内側に折り曲げて形成されたコ字状の折曲部６と、背面板２と対向させて筐体の前面側に設けられた嵌め込み部材９により枠状の底面を形成し、その中央部に配線用開口部１０を形成したものである。筐体の上面にも同様の配線用開口部１０を形成してもよい。【選択図】図３
2016219676.tif 000002
【特許請求の範囲】
【請求項１】
筐体の左右側面板と背面板の下端部をそれぞれ筐体内側に折り曲げて形成されたコ字状の折曲部と、背面板と対向させて筐体の前面側に設けられた嵌め込み部材により枠状の底面を形成し、その中央部に配線用開口部を形成したことを特徴とする配線用開口部を有する電気機器収納用箱。
【請求項２】
前記折曲部と前記嵌め込み部材は端部に傾斜辺を備え、これらの傾斜辺間を接合したことを特徴とする請求項１記載の配線用開口部を有する電気機器収納用箱。
【請求項３】
前記配線用開口部の面積を、前記枠状の底面の面積よりも大きく形成したことを特徴とする請求項１記載の配線用開口部を有する電気機器収納用箱。
【請求項４】
筐体の左右側面板と背面板の上端部をそれぞれ筐体内側に折り曲げて形成されたコ字状の折曲部と、背面板の折曲部と対向させて筐体の前面側に設けられた嵌め込み部材により枠状の上面を形成し、その中央部を配線用開口部としたことを特徴とする請求項１記載の配線用開口部を有する電気機器収納用箱。
【発明の詳細な説明】
【技術分野】
【０００１】
本発明は、少なくとも底面に配線用開口部を有する電気機器収納用箱に関するものである。
【背景技術】
【０００２】
板金を折り曲げ加工して製作される電気機器収納用箱は、特許文献１に示されるように底部に底板を溶接した構造が一般的である。このため底面に配線用開口部を形成する場合には、中央部を打ち抜いた底板を溶接していた。
【０００３】
しかし、高負荷用の大径のケーブルや多くのケーブルを通す場合には、配線用開口部の面積を大きくする必要がある。この場合には広い面積の打ち抜き部分が廃材となるため材料歩留りが悪くなり、コストが高くなるという問題があった。また、底板の全周を溶接しなければならず、溶接長が大きくなって手数とコストがかかるという問題があった。
【先行技術文献】
【特許文献】
【０００４】
【特許文献１】特開２０１３−１６１８５３号公報
【発明の概要】
【発明が解決しようとする課題】
【０００５】
従って本発明の目的は上記した従来の問題点を解決し、材料歩留りがよく、溶接の手数を軽減した配線用開口部を有する電気機器収納用箱を提供することである。
【課題を解決するための手段】
【０００６】
上記の課題を解決するためになされた本発明は、筐体の左右側面板と背面板の下端部をそれぞれ筐体内側に折り曲げて形成されたコ字状の折曲部と、背面板と対向させて筐体の前面側に設けられた嵌め込み部材により枠状の底面を形成し、その中央部に配線用開口部を形成したことを特徴とするものである。
【０００７】
本発明の好ましい実施形態によれば、前記折曲部と前記嵌め込み部材は端部に傾斜辺を備え、これらの傾斜辺間を接合した構造である。また、前記配線用開口部の面積を、前記枠状の底面の面積よりも大きく形成することができる。さらに、筐体の左右側面板と背面板の上端部をそれぞれ筐体内側に折り曲げて形成されたコ字状の折曲部と、背面板の折曲部と対向させて筐体の前面側に設けられた嵌め込み部材により枠状の上面を形成し、その中央部を配線用開口部とすれば、底板と上面板の両方に配線用開口部が形成される。
【発明の効果】
【０００８】
本発明の配線用開口部を有する電気機器収納用箱は、従来のように底板に配線用開口部を打ち抜く必要がないため、材料歩留りを向上させることができる。また底板の全周を溶接する必要がないので、溶接長を短くして手数とコストを引き下げることができる。さらに嵌め込み部材を変更して配線用開口部の面積を調節可能であるため、共通の筐体を用いて配線用開口部の面積の異なる電気機器収納用箱を製造することができる。
【０００９】
なお、折曲部と嵌め込み部材は端部に傾斜辺を備えたものとし、これらの傾斜辺間を接合した構造とすれば、溶接長をさらに短縮することができる。また、配線用開口部の面積が枠状の底面の面積よりも大きく形成されている場合にも、材料歩留りを向上させることができる。さらに上面板にも配線用開口部を形成すれば、筐体を段積み構造として使用する場合に有利である。
【図面の簡単な説明】
【００１０】
【図１】電気機器収納用箱の全体斜視図である。
【図２】左右側板と背面板との展開図である。
【図３】底部を上方から見た分解斜視図である。
【図４】底部を下方から見上げた分解斜視図である。
【図５】底部を上方から見た斜視図である。
【図６】底部を下方から見上げた斜視図である。
【図７】側板の前端部の水平断面図である。
【図８】嵌め込み部材の垂直断面図である。
【図９】底面図である。
【図１０】コーナー部の三面図である。
【図１１】他の実施形態を示す底面図である。
【発明を実施するための形態】
【００１１】
以下に本発明の実施形態を説明する。
図１は本発明の電気機器収納用箱の筐体を示す全体斜視図であり、１は筐体の左右の側面板、２は背面板、３は上面板である。側面板１と背面板２とは、１枚の板金を折り曲げて形成されたものである。図１では上面板３は別体として溶接されているが、背面板２と一体として折り曲げ形成することもできる。なお全ての図面において前面の扉は省略されている。
【００１２】
側面板１と背面板２の下端部は図２のように折曲片４，５を備えており、これらの折曲片４，５をそれぞれ筐体内側に直角に折り曲げ、それらの端部の傾斜辺４ａ、５ａ間を溶接することにより、図３、図４に示されるような前方が開いたコ字状の折曲部６が形成されている。このように隣接する折曲片４，５の傾斜辺４ａ、５ａ間を溶接する構造としたので、従来の全周溶接に比べて、溶接長を大幅に短縮することができる。
【００１３】
図７に示すように、側面板１の前端部は水平面内で直角に折り曲げられ、内側折り曲げ部７が形成されている。また、内側折り曲げ部７の先端を水平面内で直角に２回折り返し、水切り部８ａ、８ｂが形成されている。図３、図１０に示されるように、内側折り曲げ部７の下部の端縁は垂直面内で傾斜した傾斜辺７ａとなっている。すなわち傾斜辺７ａの下端は筐体の幅方向の外側にあり、傾斜辺７ａの上端はやや内側位置にある。
【００１４】
上記したコ字状の折曲部６の前端部には、図３、図４に示す嵌め込み部材９が背面板２の折曲部５と対向させて溶接により接合され、図５、図６に示されるように枠状の底面が形成される。そしてその中央部に、床下空間から配線を引き入れる配線用開口部１０が形成される。嵌め込み部材９は板金を図８に示すような断面形状に折り曲げた部材であり、下方平面部１１と、その前端から垂直上方に延びる垂直壁部１２と、前方に延びる上方平面部１３とその前端を下向きに折り曲げた垂下部１４とからなる。上方平面部１３と垂下部１４とは水切り部１５を構成するものである。
【００１５】
図３、図１０に示すように、嵌め込み部材９の垂直壁部１２の左右の端縁１２ａは垂直面内で斜めになっている。すなわち端縁１２ａの下端は筐体の幅方向の外側にあり、端縁１２ａの上端はやや内側位置にある。また図８、図１０に示すように、嵌め込み部材９の垂直壁部１２の後方の下方平面部１１の端縁１１ａは、水平面内で斜めになっている。
【００１６】
上記した嵌め込み部材９は、その垂直壁部１２の左右の端縁１２ａを、側面板１の内側折り曲げ部７の下部の傾斜辺７ａと溶接する。また嵌め込み部材９の下方平面部１１の端縁１１ａを、側面板１の前部の傾斜辺４ａと溶接する。この結果、図５、図６に示すような水平な枠状の底面が形成される。また、嵌め込み部材９の上方平面部１３、垂下部１４もそれぞれ左右の側面板１の水切り部８ａ、８ｂと溶接される。このような構造は、溶接長を短縮できる利点がある。このようにして、側面板１の水切り部８ａ、８ｂと嵌め込み部材９の水切り部１５が接合一体化され、扉と接する筐体の前面の全周に枠状の水切り部が形成される。なお、図９に底面図、図１０にコーナー部分の三面図を示す。
【００１７】
このように、本発明の電気機器収納用箱は、左右の側面板１と背面板２の下端部をそれぞれ筐体内側に折り曲げて形成されたコ字状の折曲部６と嵌め込み部材９とにより枠状の底面を形成し、その中央部に配線用開口部１０を形成したものであるから、従来のように底板から配線用開口部１０を打ち抜く必要がなく、材料歩留りを大幅に向上させることができる。特に配線用開口部１０の面積が枠状の底面の面積よりも大きい場合には、この利点は大きい。
【００１８】
また本発明の電気機器収納用箱は、配線用開口部１０の面積を自由に設定することができる。特に側面板１と背面板２とからなる共通の筐体を使用し、嵌め込み部材９の奥行長さを変えることによって、配線用開口部１０の面積の異なる電気機器収納用箱を容易に製作できる利点がある。
【００１９】
上記の実施形態では、コ字状の折曲部６に嵌め込み部材９の両端を溶接により接合したが、嵌め込み部材９の接合手段は必ずしも溶接に限定されるものではない。例えば嵌め込み部材９の両端をネジ止めによってコ字状の折曲部６に着脱自在に接合することもできる。このネジ止め構造を採用した場合には、配線時に嵌め込み部材９を取外すことによって、配線の作業性を高めることが可能となる。
【００２０】
上記の実施形態では、筐体の底面のみに配線用開口部１０を形成したが、図１１に示すように、筐体の左右側面板１と背面板２の上端部をそれぞれ筐体内側に折り曲げてコ字状の折曲部６を形成し、背面板２の折曲部５と対向させて筐体の前面側に設けられた嵌め込み部材９により上面にも配線用開口部１０を形成することができる。このように上面にも配線用開口部１０を形成した筐体は、図１１に示されるように上下に段積みして使用する場合に適したものとなり、上下の筐体間で配線することができる。
【００２１】
なお、筐体を上下に段積みせず、単独で使用する場合、筐体の上面のみに配線開口部１０を形成すれば、筐体の上側から配線することも可能となる。
【符号の説明】
【００２２】
１  側面板
２  背面板
３  上面板
４  折曲片
４ａ  傾斜辺
５  折曲片
５ａ  傾斜辺
６  コ折曲部
７  内側折り曲げ部
７ａ  傾斜辺
８ａ  水切り部
８ｂ  水切り部
９  嵌め込み部材
１０  配線用開口部
１１  下方平面部
１１ａ  端縁
１２  垂直壁部
１２ａ  端縁
１３  上方平面部
１４  垂下部
１５  水切り部
【図１】
2016219676.tif 000003
【図２】
2016219676.tif 000004
【図３】
2016219676.tif 000005
【図４】
2016219676.tif 000006
【図５】
2016219676.tif 000007
【図６】
2016219676.tif 000008
【図７】
2016219676.tif 000009
【図８】
2016219676.tif 000010
【図９】
2016219676.tif 000011
【図１０】
2016219676.tif 000012
【図１１】
2016219676.tif 000013